(57)【要約】【課題】ペンチに着脱自在に装着して汎用性を持たせ、合成樹脂製の封印具にあっては封印具の破片が周囲に飛散・散乱しない状態で撤去でき、取扱いが簡単で作業効率の向上が図られ、経済的であるばかりか工具管理もし易い封印撤去工具を提供する。【解決手段】ペンチＰの両挟着部１１に着脱自在に装着され、挟着部１１の側面１１ａを囲う背板部１−１，２−１とその前後面１１ｂを囲う一対の覆板部１−２，２−２とから断面略コ字状に成形され互いの開放面を対向させて一対の挟着部１１にそれぞれ装着される第一工具体１と第二工具体２からなり、第一工具体１は封印具Ｆの裏側へ差し込む剥ぎ取り部３が設けられ、第二工具体２は先端部位が剥ぎ取り部３の先端縁より外側であってその近傍部位６に対向位置し、封印具Ｆを撤去する状態では封印具Ｆの周囲を第一工具体１の一対の覆板部１−２と第二工具体２の背板部２−１とにより囲うようにした。【選択図】図３
2006015441.tif 000002
【特許請求の範囲】
【請求項１】
ペンチ先端側の一対の挟着部に着脱自在に装着され積算電力量計等の配電機器の端子部を封印した封印具を破砕する封印撤去工具であって、前記挟着部の側面を囲う背板部とその前後面を囲う一対の覆板部とから断面略コ字状に成形されると共に互いの開放面を対向させて前記一対の挟着部にそれぞれ装着される第一工具体と第二工具体からなり、
前記第一工具体は、その背板部に先端が前記挟着部の先端より外側に位置しかつ前記封印具の裏側へ差し込む剥ぎ取り部が設けられ、前記第二工具体は、その背板部の先端部位が前記剥ぎ取り部の先端縁より外側であってその近傍部位に対向位置し、前記封印具を撤去する状態では前記封印具の周囲を前記第一工具体の前記一対の覆板部と前記第二工具体の前記背板部とにより囲うようにしたことを特徴とする封印撤去工具。
【請求項２】
前記第二工具体における前記背板部の先端部位の内面に前記封印具へその表側から押し込むことができる押込突部を設けた請求項１記載の封印撤去工具。
【発明の詳細な説明】
【技術分野】
【０００１】
本発明は、積算電力量計、ブレーカー等の配電機器の端子部を封印した封印具を撤去するために使用する封印撤去工具に関するものである。
【背景技術】
【０００２】
一般に、積算電力量計、ブレーカー等の配電機器の端子部には、その端子部を不正に開放させないようにするために封印具が使用されている。この封印具は、定期的にその点検・交換が行われるが、キャップ式、ワイヤー式など種々の形式のものがある。そこで、前記封印具の点検・交換に際して、それら封印具に合った封印撤去工具が専用工具として開発され使用されている。なお、前記封印撤去工具には切断刃部を有する一般のペンチも広く利用されている。
【０００３】
例えば、積算電力量計の場合、その端子部に螺着される封印ねじの頭部に合成樹脂製の封印具を冠着するようにしている。これに対する封印撤去工具は、ペンチ形をした工具本体の先端側の各挟着部に歯先が該各挟着部先端より突出するようにして挟付歯を取り付け、更に、前記各挟着部にその開閉動作を妨げないカバー部材を設けて構成されている。そして、前記挟着部の先端部を封印具に被せると共に工具本体を握り締める。これにより、封印具が両挟着部により破砕されると共にその破片は周囲に飛び散ることなく、すべて両挟付歯と両カバー部材とで囲われる空間部に捕集されるようになっている（特許文献１参照。）。
【特許文献１】特開平７−３１４３３９号公報（第２−３頁、図３）
【０００４】
ところで、合成樹脂製の封印具を破砕して撤去する際、破砕された破片が周囲に飛散・散乱すると、美観・安全のため作業終了後に破片を拾い集めなければならず、このために面倒な手間と多くの時間を要し作業性が悪くなることから、前記のように封印撤去工具には破砕された破片が周囲に飛散・散乱しない手段を講ずる必要がある。
【発明の開示】
【発明が解決しようとする課題】
【０００５】
封印具には種々の形式のものが有ることから、特許文献１の封印撤去工具のように各封印具にそれぞれ合った専用工具を製作して用意することは、種類の異なる専用工具が多くなって取扱いが面倒であり作業効率も悪い。しかも、非経済的であるばかりか管理も煩雑になって工具管理上好ましいことではない。できれば、汎用性が持たせられる封印撤去工具があれば便利である。
【０００６】
そこで、本発明は上記課題を解決すべくなされたもので、封印撤去作業に際して広く使用されるペンチに着脱自在に装着できるようにして汎用性を持たせ、合成樹脂製の封印具にあっては封印具の破片が周囲に飛散・散乱しない状態で撤去でき、取扱いが簡単で作業効率の向上が図られ、経済的であるばかりか工具管理もし易い封印撤去工具を提供することを目的とするものである。
【課題を解決するための手段】
【０００７】
かかる目的を達成するため本発明に係る封印撤去工具は、ペンチ先端側の一対の挟着部に着脱自在に装着され積算電力量計等の配電機器の端子部を封印した封印具を破砕する封印撤去工具であって、前記挟着部の側面を囲う背板部とその前後面を囲う一対の覆板部とから断面略コ字状に成形されると共に互いの開放面を対向させて前記一対の挟着部にそれぞれ装着される第一工具体と第二工具体からなり、前記第一工具体は、その背板部に先端が前記挟着部の先端より外側に位置しかつ前記封印具の裏側へ差し込む剥ぎ取り部が設けられ、前記第二工具体は、その背板部の先端部位が前記剥ぎ取り部の先端縁より外側であってその近傍部位に対向位置し、前記封印具を撤去する状態では前記封印具の周囲を前記第一工具体の前記一対の覆板部と前記第二工具体の前記背板部とにより囲うようにした構成からなる。
【０００８】
また、この際、前記第二工具体における前記背板部の先端部位の内面に前記封印具へその表側から押し込むことができる押込突部を設けることが好ましい。
【発明の効果】
【０００９】
本発明に係る封印撤去工具は、ペンチ先端側の一対の挟着部に着脱自在に装着される第一工具体と第二工具体からなるので、この封印撤去工具をペンチと共に携行するようにすれば、必要に応じて第一・第二工具体またはペンチのみに変えられることになり、汎用性が持たせられ便利である。また、合成樹脂製の封印具にあっては封印具の破片が周囲に飛散・散乱しない状態で撤去でき、取扱いも簡単で作業効率の向上が図られる。更に、経済的であるばかりか工具管理もし易いという有益な効果を奏する。
【発明を実施するための最良の形態】
【００１０】
以下、本発明に係る封印撤去工具の実施の形態を図面に基づき説明する。図１は本発明に係る封印撤去工具の斜視図、図２は同封印撤去工具を挟着部に装着したペンチの斜視図、図３は同封印撤去工具を断面にして示すペンチの正面図、図４は図３のＸ−Ｘ線断面図をそれぞれ示す。なお、本実施の形態では、積算電力量計の封印具を撤去する場合について説明するが、これ以外にブレーカー等その他の配電機器の封印具を撤去するにも本発明に係る封印撤去工具Ａが使用できる。
【００１１】
図１に示す本発明の封印撤去工具Ａは、後記するペンチＰ先端の一対の挟着部１１，１１に着脱自在に装着され、後記する積算電力量計Ｓの端子部である端子ボックス１０１を封印した合成樹脂製の封印具Ｆを破砕する。そして、この封印撤去工具Ａは、前記挟着部１１の側面１１ａを囲う背板部１−１，２−１とその前後面１１ｂを囲う一対の覆板部１−２，２−２とから断面略コ字状に成形される金属製の第一工具体１と同第二工具体２からなる。
【００１２】
さらに詳しく説明すると、第一工具体１は、背板部１−１が所定の長さを有すると共に前記挟着部１１の厚みよりも少し広い横幅を有し、挟着部１１の側面１１ａに沿うように屈曲して成形されている。また、背板部１−１の先端縁３ａ側に、第一工具体１を挟着部１１に装着したとき、前記挟着部１１の先端１１ｃより外側に位置する剥ぎ取り部３が設けられている。この剥ぎ取り部３は、前記背板部１−１に成形され、先端に向かうに従って肉厚が薄く先端縁３ａの横断面が尖鋭に成形されている。
【００１３】
背板部１−１の両側縁に折り曲げて設けられる両覆板部１−２，１−２は、その基端板部１−２ａが幅広にまた先端板部１−２ｂがそれより幅狭に成形されており、各先端板部１−２ｂの先端１−２ｃは前記剥ぎ取り部３の先端縁３ａよりも突出している。また、両覆板部１−２，１−２内面の所定位置に、背板部１−１との間で挟着部１１を挟み、第一工具体１を挟着部１１にしっかりと固定するための保持板４，４が突設されている。そして、両覆板部１−２，１−２間に封印具Ｆが介入し得るようになっている。
【００１４】
一方、第二工具体２も、その背板部２−１が所定の長さを有すると共に前記挟着部１１の厚みとほぼ同じであって第一工具体１の両覆板部１−２，１−２間に嵌り込む横幅を有しており、挟着部１１の側面１１ａに沿うように屈曲して成形される。背板部２−１の先端側は途中で逆への字状に折曲しており、その先端部２−１ａ内面に押込突部である突起５が突設されている。この突起５は、短柱状をなすと共に先端が山形に尖っており、第二工具体２を挟着部１１に装着したとき、剥ぎ取り部３の先端縁３ａより外側であってその近傍部位６に対向位置し、ペンチＰの握り部１０を握ることにより封印具Ｆへその表側から押し込むことができるようになっている。
【００１５】
背板部２−１の両側縁に折り曲げて成形される両覆板部２−２，２−２は、該背板部２−１の先端側のほぼ３分の１を残して設けられており、その先端側に互いに内側へ対向位置して折り曲げられた保持板７，７が突設されている。この場合も前記と同様に背板部２−１と両保持板７，７との間で挟着部１１を挟み、第二工具体２を該挟着部１１にしっかりと固定する。
【００１６】
第一工具体１と第二工具体２とは、それら基端部間にビス締めによる接続金具８，８を介して所定長さの金属製の連結鎖９により繋がれており、全体に手に載る大きさである。図示は省略するが、第一・第二工具体１，２は作業ズボンのバンドに蓋付きの工具入れを取着しておき、その中に収納しておく。また、ペンチＰも同様に携行するようにする。
【００１７】
次に、ペンチＰについて説明する。ペンチＰは、基端側の握り部１０とこれに繋がる先端側の挟着部１１とからなる屈曲した一対の半体１２，１２を交差させると共にその交差部を支軸１３により枢支して成形されている。前記両挟着部１１，１１の前面１１ｂ内側には、互いに接して針金などの線状体を切断し得る切断刃部１４，１４が設けられている。また、両挟着部１１，１１の内面は先端部に噛合部１５，１５が設けられ、支軸１３側は窪んでおりその間に空間部１６が成形されている。
【００１８】
本発明に係る封印撤去工具Ａは上記構成からなり、次に、図５乃至図７に基き封印撤去工具Ａの使用方法について説明する。
【００１９】
ここで、先に積算電力量計Ｓとキャップ式の封印具Ｆについて説明しておく。積算電力量計Ｓは、例えば一般の住宅の外壁Ｗに取り付けられており、ケーシング本体１００の下部に端子ボックス１０１が一体に設けられている。この端子ボックス１０１は、前面が開放されると共にその前面に蓋体１０２が開閉自在に被着され、その両側に蓋体１０２を被着した状態で固定する封印ねじ１０３が螺締めされる。封印ねじ１０３の頭部１０４は蓋体１０２の外側に露出しており、この頭部１０４に封印具Ｆが冠着されることになる。
【００２０】
封印具Ｆは、合成樹脂材により薄く形成され、封印具本体１０５と該封印具本体１０５に串通される金属製の封印ピン１０６とからなる。封印具本体１０５は、上面と周側面が囲われると共に下面が開口しており、積算電力量計Ｓ側の封印ねじ１０３の頭部１０４に冠着する嵌着部１０７と封印ピン１０６を支持する支持部１０８とから一体に成形されている。また、封印具Ｆの適宜個所に破砕し易い薄肉部分が複数設けられている。
【００２１】
前記嵌着部１０７は円筒状であって同心円状の二重壁により成形され、その内部に封印ねじ１０３の頭部１０４が嵌入する凹室１０９が成形されている。また、この凹室１０９の内周面に前記支持部１０８側とは反対側に前記封印ピン１０６の先端が挿入される止孔１１０が穿設されている。一方、前記支持部１０８には、その中央に前記止孔１１０と同一軸線上に位置して封印ピン１０６が挿通される通孔１１１が設けられている。この通孔１１１は、前記封印ピン１０６が抜け落ちない程度に比較的しっかりと嵌入されるようにその内径が選ばれる。また、前記封印ピン１０６は先端が奥端の止孔１１０まで挿入されたとき、基端は支持部１０８内に全部入り込んでしまう長さに設定してある。
【００２２】
前記封印具Ｆは上記構成よりなり、封印前は、封印ピン１０６の先端が凹室１０９の中まで達しておらず、かつ基端は支持部１０８より外側に突出した状態で、封印ピン１０６が通孔１１１に挿通されている。封印するときは、嵌着部１０７の凹室１０９を封印ねじ１０３の頭部１０４に被せ、該頭部１０４に横断状に貫設された連通孔１１２と前記止孔１１０及び通孔１１１を一直線状に配置する。次に、この状態で前記封印ピン１０６をその先端が止孔１１０に達し停止するまで挿し込む。これにより、図６に示すように封印ピン１０６が封印ねじ１０３の頭部１０４に串通され、しかも、封印ピン１０６を外から抜くことができなくなる。また、封印ねじ１０３の位置は、ケーシング体１００側に近づけて設けられており、封印具本体１０５を蓋体１０２上面で回転させて封印ねじ１０３を抜き取ろうとしても、封印具本体１０５がケーシング本体１００の外側面に当たり回転し得ないようになっている。このようにして封印具Ｆが封印ねじ１０３の頭部１０４に冠着固定される。
【００２３】
封印具Ｆの点検・交換のため、その封印具Ｆを撤去するときは、ペンチＰの両挟着部１１，１１にそれぞれ封印撤去工具Ａの第一・第二工具体１，２を装着する。そして、図５、図６に示すように第一工具体１の背板部１−１外面を蓋体１０２の外面に接した状態で、剥ぎ取り部３の先端縁３ａを封印具Ｆの下方からその裏側に適宜深さまで差し込む。この剥ぎ取り部３の先端側は漸次薄くなるようになっているので差し込み易い。この状態では、封印具Ｆが第一工具体１の両覆板部１−２，１−２間に位置する。そして、第二工具体２の背板部２−１を封印具Ｆの嵌着部１０７に当て、両握り部１０，１０を軽く握ってペンチＰを左右何れかにこじるようにする。これにより、封印具Ｆが薄肉部分から割れて破砕される。
【００２４】
封印具Ｆの破片は、そのまま下方へ落下し、両挟着部１１，１１間の空間部１６内に捕集される。この際、封印具Ｆはその周囲が第一工具体１の両覆板部１−２，１−２と第二工具体２の背板部２−１により概ね囲われるので、封印具Ｆの破片は多くがそれらに当たって下方へ落下することとなる。これにより、破片が周囲へ飛散・散乱することを少なくして封印具Ｆを撤去できる。
【００２５】
封印具Ｆの周囲に何らかの障害物があってペンチＰがこじれない場合は、図７に示すように剥ぎ取り部３の先端縁３ａを封印具Ｆの下方からその裏側に適宜深さまで差し込んだ状態で、そのまま両握り部１０，１０を握って第二工具体２の突起５の先端を封印具Ｆの嵌着部１０７に外側から押込み破砕する。この場合も、封印具Ｆはその周囲が第一工具体１の両覆板部１−２，１−２と第二工具体２の背板部２−１により概ね囲われるので、封印具Ｆの破片は多くがそれらに当たって下方へ落下することとなる。よって、前記と同様に破片が周囲へ飛散・散乱することを少なくして封印具Ｆを撤去できる。
【００２６】
本実施の形態では、第二工具体２の背板部２−１に押込突部である突起５を設けるようにしたが、常にペンチＰをこじて封印具Ｆが撤去できるようであれば、押込突部は無くしても良い。
【００２７】
図示は省略するが、前記封印具が例えばワイヤー式のものであって、ワイヤーを切断して封印具が撤去できる場合は、ペンチＰから封印撤去工具Ａを取り外し、ペンチＰの両挟着部１１，１１の切断刃部１４，１４を使ってワイヤーを切断することにより封印具Ｆを撤去するようにする。
【００２８】
以上説明したように本発明に係る封印撤去工具Ａは、ペンチＰ先端側の一対の挟着部１１，１１に着脱自在に装着される第一工具体１と第二工具体２からなるので、この封印撤去工具ＡをペンチＰと共に携行するようにすれば、必要に応じてどちらでも自由に変えられ使用できることになり、汎用性が持たせられ便利である。また、合成樹脂製の封印具Ｆにあっては封印具Ｆの破片が周囲にほとんど飛散・散乱しない状態で撤去でき、取扱いも簡単で作業効率の向上が図られる。
【図面の簡単な説明】
【００２９】
【図１】本発明に係る封印撤去工具の斜視図。
【図２】同封印撤去工具を挟着部に装着したペンチの斜視図。
【図３】同封印撤去工具を断面にして示すペンチの正面図。
【図４】図３のＸ−Ｘ線断面図。
【図５】封印撤去工具の使用状態図。
【図６】同一部を断面にして示す使用状態図。
【図７】同一部を断面にして示す使用状態図。
【符号の説明】
【００３０】
１              第一工具体
１−１          背板部
１−２          覆板部
２              第二工具体
２−１          背板部
２−２          覆板部
３              剥ぎ取り部
５              押込突部（突起）
１１            挟着部
Ａ              封印撤去工具
Ｆ              封印具
Ｐ              ペンチ
Ｓ              配電機器（積算電力量計）
【図１】
2006015441.tif 000003
【図２】
2006015441.tif 000004
【図３】
2006015441.tif 000005
【図４】
2006015441.tif 000006
【図５】
2006015441.tif 000007
【図６】
2006015441.tif 000008
【図７】
2006015441.tif 000009